(57)【特許請求の範囲】
【請求項１】
対向する一対の側壁それぞれの対向面に固定された棚柱を介し、前記一対の側壁間に棚板が着脱自在に取り付けられる棚システムであって、
前記棚板は、
前記棚柱に対向する側方木口部と、
前記側方木口部から突出すると共に、前記対向面から突出する前記棚柱によって前記対向面と前記側方木口部との間に形成される隙間に収まる脱落防止部と、を備え、
前記一対の側壁には、それぞれ複数の前記棚柱が設けられており、
前記脱落防止部は、少なくとも一方の前記側壁の隣り合う前記棚柱間に配置されていることを特徴とする棚システム。
【請求項２】
前記一対の側壁に接続される背壁を更に備え、
前記棚板は、前記背壁に接する後側木口部と、前記後側木口部に対して反対側となる前側木口部とを備え、
前記脱落防止部は、隣り合う前記棚柱のうち、前記前側木口部寄りの前記棚柱に近接していることを特徴とする請求項１記載の棚システム。
【請求項３】
前記側方木口部から突出する前記脱落防止部の突出量は、前記棚柱の厚みよりも小さいことを特徴とする請求項１または２記載の棚システム。
【請求項４】
前記脱落防止部は、前記側方木口部からの突出量を調整可能な突出調整部を備えていることを特徴とする請求項１〜３のいずれか一項記載の棚システム。
【請求項５】
対向する一対の側壁それぞれの対向面に固定された棚柱を介し、前記一対の側壁間に棚板が着脱自在に取り付けられる棚システムであって、
前記棚板は、
前記棚柱に対向する側方木口部と、
前記側方木口部から突出すると共に、前記対向面から突出する前記棚柱によって前記対向面と前記側方木口部との間に形成される隙間に収まる脱落防止部と、を備え、
前記側方木口部から突出する前記脱落防止部の突出量は、前記棚柱の厚みよりも小さいことを特徴とする棚システム。
【請求項６】
対向する一対の側壁それぞれの対向面に固定された棚柱を介し、前記一対の側壁間に棚板が着脱自在に取り付けられる棚システムであって、
前記棚板は、
前記棚柱に対向する側方木口部と、
前記側方木口部から突出すると共に、前記対向面から突出する前記棚柱によって前記対向面と前記側方木口部との間に形成される隙間に収まる脱落防止部と、を備え、
前記脱落防止部は、前記側方木口部からの突出量を調整可能な突出調整部を備えていることを特徴とする棚システム。
【請求項７】
対向する一対の側壁それぞれの対向面に固定された複数の棚柱を介し、前記一対の側壁間に棚板が着脱自在に取り付けられる棚システムの製造方法であって、
前記棚板の前記棚柱に対向する側方木口部から突出させるように脱落防止部を形成し、
前記対向面から突出する前記棚柱によって前記対向面と前記側方木口部との間に形成される隙間に前記脱落防止部が収まるように、前記棚板を前記一対の側壁間に取り付け、
前記脱落防止部は、少なくとも一方の前記側壁の隣り合う前記棚柱間に配置されることを特徴とする棚システムの製造方法。
【請求項８】
前記棚柱が固定された前記一対の側壁の対向幅に対応させて基礎板材を切断加工して前記棚板とし、前記棚板の前記側方木口部に前記脱落防止部を形成することを特徴とする請求項７記載の棚システムの製造方法。
【発明の詳細な説明】
【技術分野】
【０００１】
本発明は、対向する一対の側壁それぞれの対向面に固定された棚柱を介し、一対の側壁間に棚板が着脱自在に取り付けられる棚システム、棚板、脱落防止部材、及び棚システムの製造方法に関する。
【背景技術】
【０００２】
収納家具や店舗什器として、簡易的に施工が可能な横壁固定の棚システムが採用されている。一般的な棚システムは、横壁の前側、及び後側の２ヶ所に、床と垂直になるように固定された棚柱を有する。棚柱には、複数の係止孔が縦方向に連続で設けられており、係止孔には棚受けが掛けるように設置される。この棚受けに収納棚板を載せることで収納棚板の設置が完了する。この種の棚システムによれば、簡易的な施工を実現できるが、地震の際、あるいは収納棚板から収納物を引き出して取りだす際に、収納棚板が前方に大きく移動し、棚受けから離脱して落下してしまう恐れがある。
【０００３】
棚板の落下を防止する手段として、例えば、棚受けの形状に合わせた溝などを棚板に施し、その溝に棚受けを納めることで棚板の脱落を防止したり（特許文献１参照）、前側に配置された棚受けをＬ字状にし、Ｌ型棚受けを棚板の木口面に当接させることで棚板の脱落を防止したり（特許文献２参照）する構造が知られている。
【先行技術文献】
【特許文献】
【０００４】
【特許文献１】特開平８−２９４４２２号公報
【特許文献２】特開２０１４−０９７２２８号公報
【発明の概要】
【発明が解決しようとする課題】
【０００５】
しかしながら、従来の棚システムでは、地震の際、あるいは収納物を引き出す際などに棚板が跳ね上がると棚板が棚受けから外れ易くなってしまい、更に、Ｌ型棚受け等で棚板の移動を規制する構造では見栄えが悪く、意匠性が低下する可能性がある。
【０００６】
本発明は、以上の課題を解決することを目的としており、意匠性を損なうことなく棚板の落下を効果的に防止できる棚システム、棚板、脱落防止部材、及び棚システムの製造方法を提供することを目的とする。
【課題を解決するための手段】
【０００７】
本発明は、対向する一対の側壁それぞれの対向面に固定された棚柱を介し、一対の側壁間に棚板が着脱自在に取り付けられる棚システムであって、棚板は、棚柱に対向する側方木口部と、側方木口部から突出すると共に、対向面から突出する棚柱によって対向面と側方木口部との間に形成される隙間に収まる脱落防止部と、を備えることを特徴とする。
【０００８】
本発明では、棚柱に対向する側方木口部から脱落防止部が突出しており、更に、この脱落防止部は、棚柱によって側板の対向面と側方木口部との間に形成される隙間に収まるように設けられている。つまり、棚柱を挟んで脱落防止部を反対側から見た場合に、脱落防止部は棚柱の陰に隠れるような収まりになっており、この反対側から見た場合の意匠性が損なわれ難い。更に、棚板が跳ね上がるなどしても、脱落防止部が棚柱側に移動するのであれば、棚柱は縦に長いので、棚柱が脱落防止部に干渉して棚板の移動を規制できる。その結果、意匠性を損なうことなく、棚板の落下を効果的に防止できる。
【０００９】
また、一対の側壁には、それぞれ複数の棚柱が設けられており、脱落防止部は、少なくとも一方の側壁の隣り合う棚柱間に配置されていると好適である。隣り合う両方の棚柱によって脱落防止部の両方向への移動が規制されるので、棚板の跳ね上がり等の移動をより確実に抑えることができ、棚板の落下を効果的に防止できる。
【００１０】
また、一対の側壁に接続される背壁を更に備え、棚板は、背壁に接する後側木口部と、後側木口部に対して反対側となる前側木口部とを備え、脱落防止部は、隣り合う棚柱のうち、前側木口部寄りの棚柱に近接していると好適である。前側木口部寄りの棚柱が脱落防止部に干渉すると、この干渉部分が支点となり、棚板には、後側木口部を持ち上げようとする力が作用する。しかしながら、棚板の後側木口部は背壁に近接しており、従って、後側木口部の持ち上がりは背壁との干渉によって抑えられ、棚板の落下を更に効果的に防止できる。
【００１１】
また、側方木口部から突出する脱落防止部の突出量は、棚柱の厚みよりも小さいと好適である。この構成によれば、棚柱によって形成される隙間に脱落防止部を完全に収め易くなって意匠性を向上させる上で更に有利となる。また、棚板の取り付けに際しても脱落防止部が側壁に干渉するなどの邪魔になり難く、有利である。
【００１２】
また、脱落防止部は、側方木口部からの突出量を調整可能な突出調整部を備えていると好適である。突出調整部を備えることで、隙間の寸法に合わせながら脱落防止部の突出量の微調整が可能になるため、取り付けを行う現場で、棚板の落下防止の最適化を図り易い。
【００１３】
また、本発明は、対向する一対の側壁それぞれの対向面に固定された棚柱を介し、一対の側壁間に着脱自在に取り付けられる棚板であって、棚柱に対向する側方木口部と、側方木口部から突出すると共に、対向面から突出する棚柱によって対向面と側方木口部との間に形成される隙間に収まる脱落防止部と、を備えることを特徴とする。
【００１４】
この棚板によれば、意匠性を損なわず、対向する一対の側壁間からの落下が効果的に防止される。
【００１５】
また、本発明は、対向する一対の側壁それぞれの対向面に固定された棚柱を介し、一対の側壁間に着脱自在に取り付けられる棚板に取り付けられる脱落防止部材であって、棚板の棚柱に対向する側方木口部に固定されて側方木口部から突出すると共に、対向面から突出する棚柱によって対向面と側方木口部との間に形成される隙間に収まることを特徴とする。
【００１６】
この脱落防止部材が取り付けられた棚板を用いることで、この棚板は、意匠性を損なわず、対向する一対の側壁間からの落下が効果的に防止される。
【００１７】
また、本発明は、対向する一対の側壁それぞれの対向面に固定された棚柱を介し、一対の側壁間に棚板が着脱自在に取り付けられる棚システムの製造方法であって、棚板の棚柱に対向する側方木口部から突出させるように脱落防止部を形成し、対向面から突出する棚柱によって対向面と側方木口部との間に形成される隙間に脱落防止部が収まるように、棚板を一対の側壁間に取り付けることを特徴とする。
【００１８】
この製造方法により、意匠性を損なうことなく棚板の落下を効果的に防止できる棚システムを製造できる。
【００１９】
また、棚柱が固定された一対の側壁の対向幅に対応させて基礎板材を切断加工して棚板とし、棚板の側方木口部に脱落防止部を形成すると好適である。基礎板材を現場に搬入し、現場に設置された一対の側壁の対向幅に対応させて基礎板材を切断加工することで棚板を製造できるので、汎用性が増して有利である。
【発明の効果】
【００２０】
本発明によれば、意匠性を損なうことなく棚板の落下を効果的に防止できる。
【図面の簡単な説明】
【００２１】
【図１】本発明の一実施形態に係る棚システムの斜視図である。
【図２】図１のＩＩ−ＩＩ線に沿った断面図である。
【図３】図２のＩＩＩ−ＩＩＩ線に沿った断面図である。
【図４】図２のＩＶ−ＩＶ線に沿った断面図である。
【図５】棚板の跳ね上がりによる脱落を防止する作用を説明する概略の説明図である。
【図６】脱落防止部の第１の変形例を説明する図である。
【図７】脱落防止部の第２の変形例を説明する図である。
【図８】本発明の第２の実施形態に係る棚システムを示す斜視図である。
【図９】比較例に係る棚システムであり、（ａ）は図２に対応する断面図であり、（ｂ）は（ａ）のｂ−ｂ線に沿った断面図である。
【発明を実施するための形態】
【００２２】
以下、図面を参照しつつ本発明に係る棚システムの実施形態について詳細に説明する。
【００２３】
近年はライフスタイルに合わせて様々な住宅様式や間口設定があり、容易に現場加工できる点や収納棚板の意匠感を損なわない収納棚板を備えた棚システムが求められている。本実施形態に係る棚システムは、このような要望に適切に応え得る棚システムであり、例えば、シューズクローク、洗濯機や冷蔵庫等の家電の上方空間を有効利用するための小物棚、または納戸収納棚等に利用できる。
【００２４】
図１、図２、及び図３に示されるように、本実施形態に係る棚システム１Ａは、対向する一対の横壁（側壁）２を備えている。横壁２は、住宅様式や間口設定に応じて様々な形状、寸法を採用できるが、本実施形態では、例えば矩形板状であり、長辺部２ａが縦になるように立設されている。また、棚システム１Ａは、一対の横壁２の下辺部（短辺部）２ｂ同士を接続する底板３と、一対の横壁２の背面側となる長辺部２ａ同士を接続する背板（背壁）４と、を備えている。底板３は、横壁２に挟まれ、接着剤やビスなどによって横壁２に固定されている。また、背板４は、横壁２に挟まれ、接着剤やビス、あるいはＬ字金物などを介して横壁２に固定されている。一対の横壁２の前面、つまり背板４に対向する正面は開放され、また、上面も開放されている。横壁２、底板３、及び背板４には、クロスが貼られるなどの化粧処理が適宜に施されている。
【００２５】
一対の横壁２の対向面（内面）２ｃには、複数の棚柱５、６が固定されている。本実施形態では、一方の横壁２の前方の長辺部２ａに沿って前側の棚柱５が固定され、後方の長辺部２ａに沿って後側の棚柱６が固定されている。また、他方の横壁２にも対称となるように一対の棚柱５、６が固定されている。つまり、本実施形態では、計四本の棚柱５、６が配置されている。
【００２６】
棚柱５、６は上下方向に長い長尺部材であり、内面２ｃから断面矩形状に突出している。また、棚柱５、６には、棚受け７を固定するための複数の係止孔５０が設けられており、複数の係止孔５０は、棚柱５、６の長手方向に沿って等間隔で配置されている。係止孔５０は大径の円形孔部５１と円形孔部５１の下部から延びる小径のスリット部５２とを有する。棚受け７は、略円柱状の棚板載置部７１と、小径の首部７３を介して棚板載置部７１に接続された頭部７２とを有する。棚受け７は、頭部７２を円形孔部５１に差し込み、首部７３をスリット部５２に沿って下方にスライドさせ、頭部７２を裏側から引っ掛けるようにして取り付ける。棚受け７は、高さが同じになるように調整しながら、四本の棚柱５、６それぞれに取り付けられる。
【００２７】
本実施形態に係る収納棚板（以下、「棚板」という）９は、一対の横壁２間に収まるように形成された矩形状であり、上面及び下面となる一対の表面９１と、長辺側の一対の木口部９２Ａ、９２Ｂと、短辺側の一対の木口部９３とを備えている。棚板９は、短辺側の一対の木口部（以下「側方木口部」という）９３が棚柱５、６に対向するように横壁２間に差し入れられ、四箇所の棚受け７に載置される。この状態で、長辺側の一対の木口部９２Ａ、９２Ｂのうち、一方の木口部（以下、「後側木口部」という）９２Ｂは背板４に近接している。この近接とは、接している状態のみならず、数ｍｍ程度離間している状態も誤差として許容する意味である。また、長辺側の一対の木口部９２Ａ、９２Ｂのうち、後側木口部９２Ｂの反対側の木口部（以下、「前側木口部」という）９２Ａは、開放されている。
【００２８】
図３、及び図４に示されるように、棚柱５、６は、横壁２の内面２ｃから内方に突き出しており、棚板９を棚受け７に載置した際、棚柱５、６の突き出し分だけ、側方木口部９３と横壁２の内面２ｃとの間に隙間Ｓができる。棚板９の側方木口部９３には、この隙間Ｓに収まるように脱落防止部１０が設けられている。より詳細には、脱落防止部１０は前後一対の棚柱５、６の間であり、前側の棚柱５からの距離ｄが棚板９の移動許容距離ＳＤよりも小さくなる位置に脱落防止部１０が設けられている。
【００２９】
棚板９の移動許容距離ＳＤとは、開放された前方側に棚板９が移動しても、棚板９が後側の棚受け７から外れない距離である。具体的には、まず、棚板９を正規の位置に設置した場合、つまり、本実施形態では、棚板９の後側木口部９２Ｂが背板４に近接した状態を基準とする。次に、この基準状態において、後側の棚柱６の棚受け７で棚板９を支えることができる前側の限界（以下、「支持限界部」という）Ｐを規定する。そして、棚板９の後側木口部９２Ｂから支持限界部Ｐまでの距離が棚板９の移動許容距離ＳＤである。
【００３０】
前側の棚柱５から脱落防止部１０までの距離ｄが、棚板９の移動許容距離ＳＤよりも小さくなる位置に脱落防止部１０を設けることで、棚板９が前方に移動した場合であっても前側の棚柱５が脱落防止部１０に干渉し、棚板９の落下を確実に防止できる。なお、本実施形態に係る棚受け７は断面円形であるため、支持限界部Ｐは棚受け７の上端部分であり、つまり棚板９の下面（表面）９１に当接する部分である。また、本実施形態では、前後一対の棚柱５、６を設けた態様にて説明しているが、前後の棚柱５、６の間に、更に中間の棚柱を設け、前側の棚柱５、及び中間の棚柱に取り付けた棚受け７によって棚板９を支持可能な態様の場合、中間の棚柱に取り付けられた棚受け７によって「支持限界部」を規定することもできる。
【００３１】
また、特に、本実施形態の場合、脱落防止部１０は前側の棚柱５に近接するように設けられている。脱落防止部１０が棚柱５に近接するという意味に関しては、脱落防止部１０が棚柱５に接している状態のみならず、数ｍｍ程度離間している状態も誤差として許容されるという意味である。
【００３２】
また、脱落防止部１０は、脱落防止部材２１を側方木口部９３に固定することで形成される。脱落防止部材２１は、例えば、クロス等を傷つけないようにＲ形状や面取り形状が施されており、金属又は樹脂等で形成されている。
【００３３】
例えば、本実施形態に係る脱落防止部材２１は押しピンであり、側方木口部９３に当接する頭部２１ａと、頭部２１ａの裏面から突出する針部２１ｂとを備える。また、頭部２１ａは側方木口部９３側が平坦であり、横壁２に対向する側が湾曲した凸曲面状になっている。頭部２１ａの高さ寸法、つまり、側方木口部９３からの突出量Ｌは、棚柱５、６の厚みＴ、つまり横壁２の内面２ｃから棚柱５、６が内方に突き出た寸法よりも小さくなっており、棚板９を棚受け７に載置した状態で、脱落防止部材２１が横壁２に干渉せず、棚柱５、６によって形成される隙間Ｓに収まるように工夫されている。
【００３４】
脱落防止部材としては、他の変形例であっても良く、例えば、ナベ頭やトラス頭等の凸曲面状で突出した頭部（突出部）を有するタッピングねじや木ねじ等の螺合型の脱落防止部材２２（図６参照）であってもよい。螺合型の脱落防止部材２２の場合、実際に棚板９の側方木口部９３に螺合されるねじ軸である突出調整部２２ｂが間口調整機構として機能し、突出調整部２２ｂのねじ込み量の大小により、頭部２２ａの側方木口部９３からの突出量を調整可能である。つまり、螺合型の脱落防止部材２２を利用して形成された脱落防止部１０によれば、突出調整部２２ｂを有するので棚板９を横壁２間に収めた際の間口寸法に合わせて脱落防止部１０の突出量を適宜に調整できる。
【００３５】
また、脱落防止部材の他の変形例として、スプリングを利用した弾性型の脱落防止部材２３（図７参照）であっても良い。弾性型の脱落防止部材２３は、横壁２の内面２ｃに当接する頭部２３ａと、棚板９の側方木口部９３に螺合するねじ軸部２３ｂと、ねじ軸部２３ｂと頭部２３ａとを接続するコイルスプリング部２３ｃとを備えている。弾性型の脱落防止部材２３の場合、ねじ軸部２３ｂ及びコイルスプリング部２３ｃからなる突出調整部２３ｄが間口調整機構として機能し、ねじ軸部２３ｂのねじ込み量の大小により、頭部２３ａの側方木口部９３からの突出量を調整可能である。また、実際に棚板９を棚受け７に載置した際に、コイルスプリング部２３ｃが縮むことで実質的に突出量の調整が可能になる。弾性型の脱落防止部材２３を利用して形成された脱落防止部１０によれば、突出調整部２３ｄを有するので、棚板９を横壁２間に収めた際の間口寸法に合わせて脱落防止部１０の突出量を適宜に調整できる。
【００３６】
次に、棚システム１Ａの製造方法について説明する。本実施形態では、棚柱５、６が内面（対向面）２ｃ側となるように一対の棚柱５、６を設置し、底板３や背板４等を固定する。一方で、一対の横壁２の対向幅寸法に合わせて加工された棚板９を準備し、棚板９の側方木口部９３から突出させるように脱落防止部１０を形成する。次に、四本の棚柱５、６それぞれに棚受け７を取り付け、棚柱５、６によって形成される隙間Ｓに脱落防止部１０が収まるように、棚板９を棚受け７に載置させる。その結果、棚板９は、一対の横壁２間に着脱自在に取り付けられた状態になり、前方から見た場合の意匠性を損なうことなく、棚板９の落下を効果的に防止できる棚システム１Ａが完成する。
【００３７】
なお、棚板９は、工場等（施工現場とは別の場所）で事前に準備する場合に限定されず、例えば、フリーカットと称される製造方法にて棚システム１Ａを製造することもできる。具体的には、化粧紙や化粧シート等が貼られて化粧処理が施された基礎板材を工場等で製造し、その基礎板材を現場まで搬送する。現場では、適宜に一対の横壁２等を設置し、一対の横壁２の対向幅を測り、この対向幅に対応させて基礎板材を切断加工して棚板９とする。次に、棚板９の側方木口部９３に脱落防止部１０を形成し、脱落防止部１０が形成された棚板９を一対の横壁２間に設置して棚システム１Ａを製造することもできる。この製造方法では、現場に設置された一対の横壁２の対向幅に対応させて基礎板材を切断加工して棚板９を製造できるので、汎用性が増して有利である。
【００３８】
次に本実施形態に係る棚システム１Ａの効果について、比較形態に係る他の棚システム等と比較しながら説明する。
【００３９】
例えば、前側の棚柱にＬ型棚受けを取り付けることで棚板の前方への移動を規制する棚システム（図９参照）では、棚板の載置部分からＬ型に立ち上がる立ち上がり片にて棚板の前方移動を規制する。この立ち上がり片は前方から視認可能であるため、立ち上がり片が目立って意匠性を損ない易く、従って、意匠性を重視すれば、立ち上がり片の高さ寸法（長さ寸法）を小さくする必要がある。しかしながら、立ち上がり片の高さ寸法（長さ寸法）を小さくすると、棚板が脱落し易くなってしまい、特に、上下方向から力を受けた場合に脱落し易くなる。また、棚柱が正規の位置からずれ、その結果、Ｌ型棚受けがずれてしまうと、立ち上がり片が棚板に干渉してしまう。つまり、棚柱をｍｍ単位で取り付ける精度が必要であり、施工の簡便性が低下し易かった。
【００４０】
また、棚受けに干渉するように棚板の下面に落下防止金具を取り付けた棚システムでは、落下防止金具が棚受けを乗り越えたりする可能性があり、棚板の脱落を効果的に防止することが難しかった。
【００４１】
また、棚受けの形状に合わせた溝などを棚板に施し、その溝に棚受けを納めることで棚板の脱落を防止する棚システムでは、棚板が跳ね上がった際に棚受けが溝から外れる可能性があり、棚板の脱落を効果的に防止することが難しかった。更に、この棚システムでは、現場において棚板を所定の間口サイズに加工した上に、更に棚受けの形状に合わせて溝加工を施す必要があり、施工の簡便性が低下する可能性があった。
【００４２】
これらの棚システムに対し、本実施形態に係る棚システム１Ａでは、前側から脱落防止部１０を見た場合に、脱落防止部１０は棚柱５の陰に隠れるような収まりになっており、前側から棚システム１Ａを見た場合の意匠性が損なわれ難い。更に、棚板９に下方から力がかかって棚板９が跳ね上がっても、棚柱５は縦に長いので、棚柱５が脱落防止部１０に接触（干渉）し、棚板９が前方に飛び出す恐れはない。つまり、本実施形態に係る棚システム１Ａでは、意匠性の向上と棚板９の効果的な落下防止とを両立できる。また、本実施形態に係る棚板９によれば、対向する一対の横壁２間に取り付けられた状態から離脱し難く、落下が効果的に防止される。
【００４３】
また、本実施形態では、棚板９の側方木口部９３に脱落防止部材２１、２２、２３を固定することで脱落防止部１０を形成でき、脱落防止部１０が形成された棚板９を一対の横壁２間に設置することで実現できる。従って、棚板９に溝加工等の更なる加工は不要である。また、棚受け７で棚板９を適切に支えることができる位置に棚柱５、６を取り付けておけば、この棚柱５、６を微調整させなくても、棚柱５，６間の適当な位置に脱落防止部１０を設置すれば足りる。つまり、棚柱５、６の設置とは独立して脱落防止部１０を形成でき、必要に応じて脱落防止部１０のみを調整すれば足りるので、施工の簡便性を損なうことなく、棚板９の脱落防止を効果的に実現できる。
【００４４】
また、本実施形態では、棚板９の上下の表面９１に脱落防止のための溝等を設ける必要がないので、例えば、リバーシブル態様として利用できる。具体的には、上下の表面９１に異なる模様の化粧紙や化粧シート等を貼り（化粧処理を施し）、適宜に裏返すことで両面を利用できるようにしたり、最初に使用していた上面（表面）９１が汚れたら裏返すことで比較的汚れの少ない下面（表面）９１を上面として利用したりすることができる。なお、この場合に、脱落防止部１０が収まる隙間Ｓは、反対側の横壁２に固定された棚柱５、６によって形成される隙間Ｓになる。
【００４５】
また、本実施形態に係る棚システム１Ａでは、一方の横壁２側にのみ脱落防止部１０が設けられている。従って、一対の横壁２間に棚板９を差し入れて設置する際に脱落防止部１０が邪魔になりにくく、施工上、有利である。ただし、両方の横壁２側に脱落防止部１０を設けることも可能であり、その場合、両方の横壁２に固定された棚柱５が脱落防止部１０に干渉することで、棚板９の脱落を効果的に防止できる。
【００４６】
また、本実施形態に係る棚システム１Ａでは、横壁２に固定された前後で隣り合う一対の棚柱５、６間に脱落防止部１０が配置されている。ここで、本実施形態では背板４を備えているので、棚板９の後方への移動は、実質的に背板４によって規制される。しかしながら、例えば、背板４を備えておらず後方が開放された態様等の場合でも、本実施形態のごとく、前後の隣り合う棚柱５、６間に脱落防止部１０が設けられていると、脱落防止部１０の前後両方向への移動が前後の棚柱５、６によって規制されるので、棚板９の跳ね上がり等の移動をより確実に抑えることができ、棚板９の落下を効果的に防止できる。なお、背板４を備えた態様の場合、意匠性を損なうことなく、且つ棚板９の前方への移動を規制するという趣旨からは、脱落防止部１０を後側の棚柱６と背板４との間に設ける態様であってもよい。
【００４７】
また、本実施形態に係る脱落防止部１０は前側木口部９２Ａ寄りの棚柱５に近接しており、棚板９の後側木口部９２Ｂは背板４に近接している。この作用について図５を参照して説明する。例えば、地震などの外的な力が作用して棚板９が前方にずれた場合、基本的には棚柱５が脱落防止部１０に干渉することで棚板９の前方への移動が規制される。ただし、その干渉部分が支点となり、棚板９には、後側木口部９２Ｂを持ち上げようとする力が作用する場合がある。しかしながら、棚板９の後側木口部９２Ｂは背壁に近接しているので、後側木口部９２Ｂの持ち上がりは背板４との干渉によって抑えられ、棚板９の落下を更に効果的に防止できる。
【００４８】
また、本実施形態に係る脱落防止部１０の突出量Ｌ（図３参照）は、棚柱５、６の厚みＴよりも小さい。その結果、棚柱５、６によって形成される隙間Ｓに脱落防止部１０を完全に収め易くなって意匠性を向上させる上で更に有利となる。また、棚板９の取り付けに際しても脱落防止部１０が横壁２に干渉するなどの邪魔になり難く、有利である。
【００４９】
また、側方木口部９３からの突出量Ｌを調整可能な突出調整部２２ｂまたは突出調整部２２ｂを備えた脱落防止部１０とすることにより、隙間Ｓの寸法に合わせながら脱落防止部１０の突出量の微調整が可能になり、取り付けの現場において棚板９の落下防止の最適化を図り易い。また、現場にて基礎板材を切断加工して棚板９とする場合などに、棚板９の長さが一対の横壁２の対向幅に対して短くなってしまったとしても、脱落防止部１０の突出量を調整することで対応できる。
【００５０】
次に、図８を参照し、第２の実施形態に係る棚システム１Ｂについて説明する。なお、本実施形態に係る棚システム１Ｂにおいて、棚システム１Ａと同様の要素や構造については、同一の符号を付して詳細な説明を省略する。
【００５１】
本実施形態は、例えば、建物に備え付けの棚システム１Ｂであり、一対の横壁２Ａは板状ではなく、建物の内装壁面の一部として形成される。また、本実施形態では多段式の棚システム１Ｂであり、複数の棚板９、例えば三枚以上の棚板９が設置されている。全ての棚板９の一方、または両方の側方木口部９３には、脱落防止部１０が形成されている。
【００５２】
本実施形態に係る棚システム１Ｂによれば、意匠性を損なうことなく、棚板９の落下を効果的に防止でき、また、この棚板９、及び棚システム１Ｂの製造方法によれば、意匠性を損なうことなく、棚板９の落下を効果的に防止できる棚システム１Ｂを実現できる。
【００５３】
以上、本発明を実施形態に基づいて説明したが、本発明は上記の実施形態のみに限定されない。例えば、上記の実施形態では、棚板９の左右一対の側方木口部９３のうち、一方の側方木口部９３のみに脱落防止部１０を設けた態様を例示したが、両方の側方木口部９３に脱落防止部１０を設けてもよい。また、一つの側方木口部９３に単一の脱落防止部１０を設けるのではなく、複数の脱落防止部１０を設けてもよく、例えば、複数の脱落防止部１０のうち、一つの脱落防止部１０を前側の棚柱５に近接して設け、他の脱落防止部１０を後側の棚柱６に近接して設けるようにしてもよい。
【実施例】
【００５４】
以下、実施例により本発明をより詳細に説明するが、本発明はこれらの例に限定されるものではない。
【００５５】
［実施例１］
実施例１に係る棚システムは、上述の第１の実施形態に係る棚システムに対応し、金属製の押しピンを脱落防止部材として利用している。また、押しピンを前側の棚柱に近接するように側方木口部に固定した。本実施例において、前後方向、左右方向、及び上下方向に５ｋｇ程度の外力を加えたが、棚板は安定して保持され、脱落しないことを検証できた。
【００５６】
［比較例１］
図９は、比較例１に係る棚システムを示し、図９（ａ）は比較のために図２に対応した図であり、図９（ｂ）は図９（ａ）のｂ−ｂ線に沿った断面図である。
【００５７】
比較例１に係る棚システム１００は、前側の棚柱にＬ型棚受け１０７を取り付けた。このＬ型棚受け１０７は、棚板１０９の前方への移動を規制するための立ち上がり片１０７ａを備えており、その立ち上がり片１０７ａは前方から視認可能である。比較例１に係る棚システム１００では、この立ち上がり片１０７ａが目立って意匠性を損ない易い。従って、意匠性を重視すれば、立ち上がり片１０７ａの高さ寸法（長さ寸法）を小さくする必要がある。しかしながら、立ち上がり片１０７ａの高さ寸法（長さ寸法）を小さくすると、棚板１０９が脱落し易くなってしまい、特に、上下方向から力を受けた場合に容易に脱落してしまう。つまり、比較例１に係る棚システム１００では、意匠性の向上と棚板の脱落防止との効果を両立することは実質的に難しい。
【符号の説明】
【００５８】
１Ａ、１Ｂ…棚システム、２…横壁、２ｃ…内面（対向面）、４…背板（背壁）、５…前側の棚柱、６…後側の棚柱、９…収納棚板（棚板）、１０…脱落防止部、２１、２２、２３…脱落防止部材、２２ｂ…突出調整部、２３ｄ…突出調整部、９２Ａ…前側木口部、９２Ｂ…後側木口部、９３…側方木口部、Ｌ…脱落防止部の突出量、Ｓ…隙間、Ｔ…棚柱の厚み。
【図１】
0006476943.tif 000002
【図２】
0006476943.tif 000003
【図３】
0006476943.tif 000004
【図４】
0006476943.tif 000005
【図５】
0006476943.tif 000006
【図６】
0006476943.tif 000007
【図７】
0006476943.tif 000008
【図８】
0006476943.tif 000009
【図９】
0006476943.tif 000010